【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
フレームの第１のスペシャルサブフレームのための第１のスペシャルサブフレーム構成を選択することと、ここにおいて、前記第１のスペシャルサブフレーム構成が、前記第１のスペシャルサブフレームの少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することと
を備える、ワイヤレス通信の方法。
【請求項２】
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、
のうちの１つを含む、請求項１に記載の方法。
【請求項３】
前記１つまたは複数の追加のシンボル中でサウンディング基準信号（ＳＲＳ）送信をスケジュールすることをさらに含み、ここにおいて、前記スケジュールすることが、
ＵｐＰＴＳオケージョンごとにシステム帯域幅にわたる周波数ホッピングを介して前記ＳＲＳ送信のための開始位置を非対称的にスケジュールすることと、
前記システム帯域幅の中間部分に前記ＳＲＳ送信のための前記開始位置を対称的にスケジュールすることとのうちの１つである、請求項１に記載の方法。
【請求項４】
ショート物理ランダムアクセスチャネル（ＰＲＡＣＨ）が、前記１つまたは複数の追加のシンボル中でサポートされ、前記スケジュールすることが、ＵｐＰＴＳオケージョンごとに前記システム帯域幅にわたる周波数ホッピングを介して前記ＳＲＳ送信のための前記開始位置を非対称的にスケジュールすることを含む、請求項３に記載の方法。
【請求項５】
ＳＲＳ送信のためにユーザ機器に少なくとも２つのシンボルを割り当てることをさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つ
のうちの１つを含む、請求項１に記載の方法。
【請求項６】
前記１つまたは複数の追加のシンボルの割り当てられたリソースをもつＳＲＳ送信のためのコムを拡張することと、ここにおいて、前記コムがコム値４まで拡張される、
前記１つまたは複数の追加のシンボルのためのＳＲＳリソースとして前記コム値４を割り当てることと、
前記２つのレガシーシンボルのためのＳＲＳリソースとして標準コム値２を割り当てることと、
前記コム値４を前記１つまたは複数の追加のシンボルのためのＳＲＳリソースとして、および前記標準コム値２を前記２つのレガシーシンボルのためのＳＲＳリソースとして識別する割当てインジケータを送信することと
をさらに含む、請求項１に記載の方法。
【請求項７】
前記コム値４または前記標準コム値２のうちの１つを割り当てられた各ＳＲＳリソースに対する電力制御パラメータを決定することをさらに含む、請求項６に記載の方法。
【請求項８】
前記第１のスペシャルサブフレーム構成および前記第２のスペシャルサブフレーム構成が、
１つまたは複数の適合ユーザ機器（ＵＥ）のためのサウンディング基準信号（ＳＲＳ）容量、または１つまたは複数のレガシーＵＥのためのダウンリンクスループット
のうちの少なくとも１つに少なくとも部分的に基づいて、基地局によって選択される、請求項１に記載の方法。
【請求項９】
前記第１のスペシャルサブフレーム中に１つまたは複数のレガシーＵＥをスケジュールすることを控えることをさらに含む、請求項１に記載の方法。
【請求項１０】
フレームの第１のスペシャルサブフレームのための第１のスペシャルサブフレーム構成を選択するための手段と、ここにおいて、前記第１のスペシャルサブフレーム構成が、前記第１のスペシャルサブフレームの少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択するための手段と、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信するための手段と
を備える、ワイヤレス通信のために構成された装置。
【請求項１１】
前記第２のＵｐＰＴＳに割り当てられた前記リソースが、
２つまたはそれより少ないシンボル、あるいは
少なくとも３つのシンボル、および前記第１のＵｐＰＴＳに割り当てられた前記リソースとは異なる、
のうちの１つを含む、請求項１０に記載の装置。
【請求項１２】
前記１つまたは複数の追加のシンボル中でサウンディング基準信号（ＳＲＳ）送信をスケジュールするための手段をさらに含み、ここにおいて、スケジュールするための前記手段が、
ＵｐＰＴＳオケージョンごとにシステム帯域幅にわたる周波数ホッピングを介して前記ＳＲＳ送信のための開始位置を非対称的にスケジュールするための手段と、
前記システム帯域幅の中間部分に前記ＳＲＳ送信のための前記開始位置を対称的にスケジュールするための手段と
のうちの１つである、請求項１０に記載の装置。
【請求項１３】
ショート物理ランダムアクセスチャネル（ＰＲＡＣＨ）が、前記１つまたは複数の追加のシンボル中でサポートされ、スケジュールするための前記手段が、ＵｐＰＴＳオケージョンごとに前記システム帯域幅にわたる周波数ホッピングを介して前記ＳＲＳ送信のための前記開始位置を非対称的にスケジュールするための手段を含む、請求項１２に記載の装置。
【請求項１４】
ＳＲＳ送信のためにユーザ機器に少なくとも２つのシンボルを割り当てるための手段をさらに含み、ここにおいて、前記少なくとも２つのシンボルが、
前記２つのレガシーシンボルのうちの少なくとも１つのシンボルおよび前記１つまたは複数の追加のシンボルのうちの少なくとも１つのシンボル、
前記２つのレガシーシンボル、または
前記１つまたは複数の追加のシンボルのうちの少なくとも２つ
のうちの１つを含む、請求項１０に記載の装置。
【請求項１５】
プログラムコードを記録した非一時的コンピュータ可読媒体であって、前記プログラムコードは、
フレームの第１のスペシャルサブフレームのための第１のスペシャルサブフレーム構成を選択することをコンピュータに行わせるためのプログラムコードと、ここにおいて、前記第１のスペシャルサブフレーム構成が、前記第１のスペシャルサブフレームの少なくとも３つのシンボルの割り当てられたリソースをもつ第１のアップリンクパイロットタイムスロット（ＵｐＰＴＳ）を含み、ここにおいて、前記少なくとも３つのシンボルが、２つのレガシーシンボルと１つまたは複数の追加のシンボルとを含む、
前記フレームの第２のスペシャルサブフレームのための第２のスペシャルサブフレーム構成を選択することを前記コンピュータに行わせるためのプログラムコードと、ここにおいて、前記第２のスペシャルサブフレーム構成が、前記第１のＵｐＰＴＳに割り当てられた第１のリソース長とは異なる第２のリソース長の割り当てられたリソースをもつ第２のＵｐＰＴＳを含む、
カバレージエリアのための前記第１のスペシャルサブフレーム構成および前記第２のスペシャルサブフレーム構成の指示を送信することを前記コンピュータに行わせるためのプログラムコードと
を備える、非一時的コンピュータ可読媒体。